(57)【要約】【課題】撮影画面の構図を変えても露出補正に過不足がないこと。【解決手段】電子カメラ１は、ズーミングレンズ１２のズーム位置で被写体の明るさを測定する撮像素子２２と、撮像素子２２が測定した測光値から被写体輝度を算出する輝度演算部３１と、被写体輝度に基づく露出値をズーミングレンズ１２のズーム位置に応じて補正し、補正された露出値を算出する露出補正部３２と、補正された露出値に基づいて撮影手段を制御する撮影制御部３３と、を備える。【選択図】図１
2015122602.tif 000002
【特許請求の範囲】
【請求項１】
ズーミングレンズを有する撮影手段と、
前記ズーミングレンズのズーム位置で被写体の明るさを測定する測光手段と、
前記測光手段による測光値から被写体輝度を算出する輝度演算手段と、
前記被写体輝度に基づく露出値を前記ズーミングレンズのズーム位置に応じて補正し、補正された露出値を算出する露出補正手段と、
前記補正された露出値に基づいて前記撮影手段を制御する撮影制御手段と、
を備えることを特徴とする電子カメラ。
【請求項２】
請求項１に記載の電子カメラにおいて、
前記露出補正手段は、前記ズーム位置に応じて前記被写体輝度を補正することにより、前記補正された露出値を算出することを特徴とする電子カメラ。
【請求項３】
請求項１又は２に記載の電子カメラにおいて、
前記撮影手段は、前記被写体として月を撮影することを特徴とする電子カメラ。
【請求項４】
請求項３に記載の電子カメラにおいて、
前記露出補正手段は、前記ズーミングレンズのズーム位置が広角側では、前記被写体輝度に第１のオフセット量を加算し、当該加算結果に基づいて前記補正された露出値を算出し、前記ズーミングレンズのズーム位置が望遠側では、前記被写体輝度に前記第１のオフセット量よりも小さい第２のオフセット量を加算し、当該加算結果に基づいて前記補正された露出値を算出することを特徴とする電子カメラ。
【請求項５】
請求項３に記載の電子カメラにおいて、
前記測光手段は、複数の測光エリアを有し、前記複数の測光エリアに対応する複数の測光値を出力し、
前記輝度演算手段は、前記複数の測光値に基づいて前記被写体輝度を算出し、
前記露出補正手段は、前記ズーミングレンズのズーム位置が広角側である場合には、月が存在する測光エリアに関する前記測光値に第１の重み付け係数を乗算し、当該乗算結果が加味された前記被写体輝度に基づいて前記補正された露出値を算出し、前記ズーミングレンズのズーム位置が望遠側である場合には、月が存在する測光エリアに関する前記測光値に前記第１の重み付け係数よりも大きい第２の重み付け係数を乗算し、当該乗算結果が加味された前記被写体輝度に基づいて前記補正された露出値を算出し、
前記広角側の場合に月が存在する測光エリアの数よりも前記望遠側の場合に月が存在する測光エリアの数の方が多いことを特徴とする電子カメラ。
【請求項６】
ズーミングレンズを有する撮影手段と、
前記ズーミングレンズのズーム位置で被写体としての月の明るさを測定する測光手段と、
前記測光手段による測光値から被写体輝度を算出する輝度演算手段と、
月の月齢情報を記憶する情報記憶手段と、
前記被写体輝度に基づく露出値を前記ズーミングレンズのズーム位置及び前記月齢情報に基づいて補正し、補正された露出値を算出する露出補正手段と、
前記補正された露出値に基づいて前記撮影手段を制御する撮影制御手段と、
を備えることを特徴とする電子カメラ。
【発明の詳細な説明】
【技術分野】
【０００１】
本発明は、露出補正機能を有する電子カメラに関する。
【背景技術】
【０００２】
従来、カメラの露出制御において、撮影シーンに適した露出となるように撮影シーン毎に１つの露出補正値が決まっており、撮影シーンモードから撮影シーンを決定すると、自動的にその露出補正値で露出補正を行う電子カメラが知られている（例えば、特許文献１参照）。
【先行技術文献】
【特許文献】
【０００３】
【特許文献１】特開２００８−１６０８７９号公報
【発明の概要】
【発明が解決しようとする課題】
【０００４】
ところが、特許文献１の電子カメラでは、撮影シーン毎に被写体輝度に対する露出補正値が１つの値に固定されているので、ズーミングにより構図を変えた場合に、露出補正に過不足が生じるという問題がある。
【課題を解決するための手段】
【０００５】
請求項１の発明による電子カメラは、ズーミングレンズを有する撮影手段と、前記ズーミングレンズのズーム位置で被写体の明るさを測定する測光手段と、前記測光手段による測光値から被写体輝度を算出する輝度演算手段と、前記被写体輝度に基づく露出値を前記ズーミングレンズのズーム位置に応じて補正し、補正された露出値を算出する露出補正手段と、前記補正された露出値に基づいて前記撮影手段を制御する撮影制御手段と、を備えることを特徴とする。
請求項６の発明による電子カメラは、ズーミングレンズを有する撮影手段と、前記ズーミングレンズのズーム位置で被写体としての月の明るさを測定する測光手段と、前記測光手段による測光値から被写体輝度を算出する輝度演算手段と、月の月齢情報を記憶する情報記憶手段と、前記被写体輝度に基づく露出値を前記ズーミングレンズのズーム位置及び前記月齢情報に基づいて補正し、補正された露出値を算出する露出補正手段と、前記補正された露出値に基づいて前記撮影手段を制御する撮影制御手段と、を備えることを特徴とする。
【発明の効果】
【０００６】
請求項１の発明による電子カメラによれば、被写体輝度に基づく露出値をズーム位置に基づいて補正を行うので、構図を変えても露出補正に過不足がない撮影画像を得ることができる。
【図面の簡単な説明】
【０００７】
【図１】第１及び第２の実施の形態に係る電子カメラの構成を模式的に示す図である。
【図２】第１の実施の形態の電子カメラによって撮影した撮影画面を模式的に示す図であり、図２（ａ）は広角側、図２（ｂ）は望遠側で撮影した図である。
【図３】第１の実施の形態に係る電子カメラにおけるズーム位置と露出補正に必要なオフセット量との関係を表すグラフである。
【図４】第１の実施の形態に係る電子カメラの動作を説明するフローチャートである。
【図５】第２の実施の形態の電子カメラによって撮影した撮影画面を模式的に示す図であり、図５（ａ）は広角側、図５（ｂ）は望遠側で撮影した図である。
【図６】第２の実施の形態に係る電子カメラにおけるズーム位置と高輝度の測光エリアの重み付け係数との関係を表すグラフである。
【図７】第２の実施の形態に係る電子カメラの動作を説明するフローチャートである。
【図８】第３の実施の形態に係る電子カメラの構成を模式的に示す図である。
【図９】第３の実施の形態の電子カメラの情報記憶部が有する月齢情報と、オフセット量との関係を示す表である。
【発明を実施するための形態】
【０００８】
以下、本発明の実施の形態による電子カメラ１の構成について、図面を参照しながら説明する。
−第１の実施の形態−
図１を参照すると、本実施の形態による電子カメラ１は、レンズ鏡筒１０とカメラボディ２０とを備える。レンズ鏡筒１０には、レンズ１１、ズーミングレンズ１２、フォーカシングレンズ１３を含む撮影レンズ及び絞り１４が収容され、カメラボディ２０には、シャッター２１、撮像素子２２、画像記憶部２３、演算制御部３０が収容され、カメラボディ２０の背面（図中、右側）には、液晶モニタ２５が設けられている。
【０００９】
ズーミングレンズ１２は、ズーミングレンズ駆動部１２ａによって被写体光Ｌ１の光軸方向に移動する。ズーム位置が変わることにより撮影レンズの焦点距離が変化し、撮影画面（画角）における構図や、撮影画面に占める主要被写体の面積比も変化する。フォーカシングレンズ１３は、フォーカシングレンズ駆動部１３ａによって被写体光Ｌ１の光軸方向に移動することにより焦点調節を行う。絞り１４は、絞り駆動部１４ａによって開口径を制御することにより通過させる被写体光Ｌ１の光量を調節する。
【００１０】
シャッター２１は、シャッター窓を開放することにより、絞り１４を通過した被写体光Ｌ１を撮像素子２２へ導き、また、そのシャッター窓を閉鎖することにより被写体光Ｌ１が撮像素子２２へ到達するのを阻止する。これにより、所定時間だけ被写体光Ｌ１を撮像素子２２へ入射させることができる。なお、図１では、シャッター２１が閉鎖している状態を示す。
撮像素子２２は、被写体光Ｌ１を受光して被写体の画像信号を生成すると共に、被写体の明るさを測定し、その測光値を出力する。撮像素子２２は、測光すべき被写界領域（測光範囲）を複数領域に分割して各分割領域の測光値をそれぞれ出力する多分割測光（マルチパターン測光）を行う。
【００１１】
液晶モニタ２５は、撮像素子２２により生成された被写体画像信号に基づく画像や、画像記憶部２３に記憶されている画像を表示し、また、電子カメラ１の各種設定を行うためのメニューを表示する。
画像記憶部２３は、メモリカードを挿脱するためのメモリカードインターフェイスを有し、撮像素子２２により撮像された被写体像データや、外部機器からを送られた画像データを記憶する。
【００１２】
演算制御部３０は、輝度演算部３１、露出補正部３２、及び撮影制御部３３を有する。
輝度演算部３１は、撮像素子２２によって測定された被写体の測光値に基づいて被写体輝度値Ｂｖを算出する。多分割測光では、各分割領域の測光値の撮影シーンに応じた加重平均値から被写体輝度Ｂｖが算出される。
【００１３】
露出補正部３２は、輝度演算部３１によって算出された被写体輝度値Ｂｖを増減して適正露出値を得るための補正を行う。これにより、撮影者は、自分の意図に合った明るさの画像を得ることができる。
例えば、撮影画面の中に輝度値が高い部分と低い部分が存在する場合、輝度値が高い部分を主要被写体とする撮影では、被写体輝度値Ｂｖを算出された値より高くする方向に補正をすれば適正な露出値が得られる。これは露出をアンダー方向に補正することである。逆に、輝度値が低い部分を主要被写体とする撮影では、被写体輝度値Ｂｖを算出された値より低くする方向に補正をすれば適正な露出値が得られる。これは露出をオーバー方向に補正することである。
【００１４】
撮影制御部３３は、露出補正部３２によって補正された露出値と撮像素子２２の撮像感度（ＩＳＯ感度）とに基づいて、シャッター秒時、絞り値を設定する。撮影者はこの撮影条件で撮影を行う。ＡＰＥＸの式に基づいて、撮像素子２２のＩＳＯ感度値をＳｖ、シャッター２１のシャッター秒時をＴｖ、絞り１４の絞り値をＡｖで表すと、露出値Ｅｖは、被写体輝度値ＢｖとＩＳＯ感度値Ｓｖとの和で表され、シャッター秒時Ｔｖと絞り値Ａｖとの和がこの露出値Ｅｖに等しくなるように制御される。
【００１５】
以下、図２を参照しながら、主要被写体が月である場合の露出演算について説明する。夜空に出ている月は、撮影画面の中では高輝度の物体であり、夜空は低輝度の背景として撮影される。
ズームレンズを用いない撮像装置であれば、焦点距離は固定であり、撮影画面中に占める月の面積比は一定であるから、露出補正値は１つに定めることができるが、本実施の形態による電子カメラ１はズーミングレンズ１２を備えており、焦点距離、すなわちズーム位置によって撮影画面中に占める月の面積比が変化し、構図も変化する。なお、本実施の形態による電子カメラ１は月を撮影するための「月撮影モード」の機能を有する。
【００１６】
図２（ａ）は、ズーム位置を広角側として撮影した画面であり、図２（ｂ）は、ズーム位置を望遠側として撮影した画面である。図２（ａ）中、１００ａは広角側で撮影される月、２００は夜空、２０１は遠景（例えば、森、ビル群）を表す。図２（ｂ）中、１００ｂは望遠側で撮影される月、２００は月１００ｂの周辺の夜空を表す。また、１０１は撮影範囲（画角）、１０２は多分割測光における測光範囲である。
【００１７】
図２（ａ）に示されるように、広角側で撮影された高輝度被写体である月１００ａは、測光範囲１０２に占める割合が非常に小さく、低輝度部分である夜空２００と遠景２０１が測光範囲１０２の大半を占める。そのため、輝度演算部３１が算出する被写体輝度値Ｂｖは低くなる。輝度演算部３１は、夜空２００や遠景２０１に対して適正露出となるように被写体輝度値Ｂｖを算出するので、この算出された被写体輝度値Ｂｖに基づいて露出値Ｅｖを決めて撮影すると月１００ａが過剰に明るく撮影される「白飛び」状態となってしまう。
【００１８】
反対に、図２（ｂ）に示されるように、望遠側で撮影された高輝度被写体である月１００ｂは、測光範囲１０２の大部分を占めるため、輝度演算部３１が算出する被写体輝度値Ｂｖは高くなり、月１００ｂの撮影にほぼ適した被写体輝度値Ｂｖが算出される。しかし、測光範囲１０２の僅かな部分を夜空２００が占めているので、この分だけ被写体輝度値Ｂｖを補正する必要がある。
【００１９】
以下、図３を参照しながら、主要被写体である月を、広角側で撮影する場合の露出値の算出と、望遠側で撮影する場合の露出値の算出について説明する。
図３は、ズーム位置から露出補正に必要なオフセット量を算出するグラフのイメージ図である。横軸はズーム位置Ｚであり、左方向が広角側（Ｗで表す）、右方向が望遠側（Ｔで表す）であり、縦軸はオフセット量Ｄであり、上方向がオフセット量Ｄが大きくなる方向である。露出補正部３２は、広角側Ｗではオフセット量ＤをＤ１、望遠側Ｔではオフセット量ＤをＤ２（Ｄ１＞Ｄ２）と算出する。すなわち、露出補正部３２は、広角側Ｗでは被写体輝度値Ｂｖにオフセット量Ｄ１を加算し、望遠側Ｔでは被写体輝度値Ｂｖにオフセット量Ｄ２を加算し、この加算結果に基づいて補正された露出値Ｅｖを演算する。
【００２０】
以下、図４のフローチャートを参照しながら、第１の実施の形態による電子カメラ１の動作を説明する。撮影者が撮影動作の開始に当って月撮影モードを選択し、ＩＳＯ感度値Ｓｖを設定する。撮影者が主要被写体である月の方向に電子カメラ１の撮影レンズを向けると、ステップ１１で、撮像素子２２が測光範囲１０２内の明るさを測光し、その測光値から輝度演算部３１が被写体輝度値Ｂｖを算出する。撮影者がズーミングレンズ１２を移動させて構図を決めると、ステップ１２で、ズーミングレンズ駆動部１２ａからズーム位置信号が演算制御部３０へ出力される。
【００２１】
ステップ１３で、露出補正部３２は、ズーム位置Ｚに基づいてオフセット量Ｄを算出し、ズーミングレンズ１２移動後の被写体輝度値Ｂｖにオフセット量Ｄを加算し、この加算結果に基づいて補正された露出値Ｅｖを算出する。すなわち、露出補正部３２は、広角側Ｗでは、補正した被写体輝度値（Ｂｖ＋Ｄ１）に基づいて補正された露出値Ｅｖを算出し、望遠側Ｔでは、補正した被写体輝度値（Ｂｖ＋Ｄ２）に基づいて補正された露出値Ｅｖを算出する。露出補正部３２は、広角側Ｗと望遠側Ｔの中間のズーム位置においても、同様に補正された露出値Ｅｖを算出する。
【００２２】
ステップ１４で、撮影制御部３３は、露出補正部３２が算出した補正された露出値Ｅｖを用いて、シャッター２１のシャッター秒時Ｔｖ、絞り１４の絞り値Ａｖを設定する。ステップ１５で、撮影者はこの撮影条件で撮影を行い、画像記憶部２３に被写体像データを記憶させ、一連の動作が終了する。
【００２３】
第１の実施の形態の電子カメラ１によれば以下の作用効果を奏する。
（１）露出補正部３２は、輝度演算部３１が算出した被写体輝度値Ｂｖにズーム位置情報から得られるオフセット量Ｄを加算し、この加算結果に基づいて補正された露出値Ｅｖを算出するので、ズーミングレンズの移動により焦点距離や構図が変化した場合でも、適正な露出で月を撮影することができる。
（２）ズーミングレンズのズーム位置が広角側での撮影では、露出補正部３２は、被写体輝度値Ｂｖを大きく補正するので、特に、広角側での月の撮影では、暗い背景の影響で生じる月の白飛びを防止でき、露出補正の効果が大きい。
【００２４】
−第２の実施の形態−
第２の実施の形態による電子カメラも、第１の実施の形態による電子カメラ１と同一の構成であり、同様の機能を有するものである。
第１の実施の形態では、露出補正部３２は、ズーム位置Ｚに基づいてオフセット量Ｄを算出し、被写体輝度値Ｂｖにオフセット量Ｄを加算し、この加算結果に基づいて補正された露出値Ｅｖを算出するものであったが、第２の実施の形態では、露出補正部３２は、多分割測光における各測光エリアに乗ぜられる重み付け係数のうち、所定の輝度値以上の高輝度エリアについてズーム位置Ｚに応じて上記の重み付け係数を修正し、その結果算出された被写体輝度値Ｂｖに基づいて補正された露出値Ｅｖを算出するものである。
【００２５】
図５を参照すると、図５（ａ）は、ズーム位置を広角側として撮影した画面であり、図５（ｂ）は、ズーム位置を望遠側として撮影した画面である。図５（ａ）中、１００ａは広角側で撮影される月、２００は夜空、２０１は遠景（例えば、森、ビル群）を表す。図５（ｂ）中、１００ｂは望遠側で撮影される月、２００は月１００ｂの周辺の夜空である。月１００ａ、１００ｂは高輝度の被写体であり、遠景２０１は低輝度であるが、夜空２００よりは明るい。また、１０１は撮影範囲（画角）、１０２は多分割測光における測光範囲である。
【００２６】
本実施の形態では、測光範囲１０２は、９分割（測光エリアＥ１〜Ｅ９）されている。各測光エリアからの輝度値（部分輝度値）には、公知の方法によって所定のアルゴリズムに従い撮影シーンの状況に応じた重み付け係数が乗ぜられ、重み付け係数が乗ぜられた部分輝度値を加算することにより、被写体輝度値Ｂｖが算出される。換言すれば、露出値Ｅｖの算出に用いられる被写体輝度値Ｂｖは、各測光エリアの輝度値の加重平均として算出されるが、その際の重み付け係数が撮影シーン状況に応じて設定される。
第２の実施の形態では、このようにして設定された重み付け係数のうち、所定の輝度値よりも高い高輝度エリアの重み付け係数について、更にズーム位置Ｚに応じて補正するものである。
【００２７】
図５（ａ）において、測光エリアＥ１〜Ｅ９のうち、測光エリアＥ２には高輝度被写体である月１００ａが存在し、測光エリアＥ７、Ｅ８、Ｅ９には月１００ａよりも輝度が低い遠景２０１が存在する。その他のエリアは遠景２０１よりも輝度が低い夜空２００が覆っている。月１００ａは、測光エリアＥ２のみに存在するので、測光エリアＥ２のみが高輝度のエリアとなり、測光エリアＥ２の重み付け係数Ｋは、ズーム位置Ｚが広角側であるため、小さい。従って、測光範囲１０２全体の被写体輝度値Ｂｖに対する測光エリアＥ２の寄与率が低くなる。
【００２８】
図５（ｂ）において、測光エリアＥ１〜Ｅ９のうち、高輝度被写体である月１００ｂは、すべての測光エリアＥ１〜Ｅ９に存在する。すなわち、月１００ｂは、測光エリアＥ２、Ｅ５、Ｅ８では全域に存在し、その他の測光エリアＥ１、Ｅ３、Ｅ４、Ｅ６、Ｅ７、Ｅ９では部分的に存在する。このように、望遠側で撮影される月１００ｂが存在するエリアの数は広角側で撮影される月１００ａが存在するエリアの数よりも多い。月１００ｂは、すべての測光エリアに存在するが、面積比の関係で測光エリアＥ２、Ｅ５、Ｅ８が高輝度のエリアとなる。測光エリアＥ２、Ｅ５、Ｅ８の重み付け係数Ｋは、ズーム位置Ｚが望遠側であるため、大きい。従って、測光範囲１０２全体の被写体輝度値Ｂｖに対するこれらの測光エリアの寄与率が高くなる。
【００２９】
以下、図６を参照しながら、月１００ａを主要被写体としない広角側での撮影の場合の露出値の算出と、月１００ｂを主要被写体として望遠側で撮影する場合の露出値の算出について説明する。
図６は、ズーム位置と高輝度の測光エリアの重み付け係数との関係を示すグラフのイメージ図である。横軸はズーム位置Ｚであり、左方向が広角側（Ｗで表す）、右方向が望遠側（Ｔで表す）であり、縦軸は高輝度の測光エリアの重み付け係数Ｋであり、上方向が重み付け係数Ｋが大きくなる方向である。グラフに示されるように、重み付け係数Ｋは、広角側Ｗから望遠側Ｔに向かって大きくなる。
【００３０】
広角側Ｗでは、高輝度エリアの重み付け係数Ｋが小さいので、当該高輝度エリアは、被写体輝度値Ｂｖ算出時の寄与率が低く、望遠側Ｔでは、高輝度エリアの重み付け係数Ｋが大きいので、当該高輝度エリアは、被写体輝度値Ｂｖ算出時の寄与率が高くなることを表している。すなわち、広角側Ｗでは、高輝度エリアである測光エリアＥ２の部分輝度値Ｂｖ２に重み付け係数Ｋ１を乗ずるが、重み付け係数Ｋ１が小さいので被写体輝度値Ｂｖを算出する際の寄与率は低く、望遠側Ｔでは、高輝度エリアである測光エリアＥ２、Ｅ５、Ｅ８の部分輝度値Ｂｖ２、Ｂｖ５、Ｂｖ８にそれぞれ重み付け係数Ｋ２（Ｋ２＞Ｋ１）を乗ずるが、重み付け係数Ｋ２が大きいので被写体輝度値Ｂｖを算出する際の寄与率は高くなる。
【００３１】
従って、露出補正部３２は、広角側Ｗでは、被写体輝度値Ｂｖを算出する際の高輝度エリアの寄与率が低いため、月１００ａの露出はオーバーとなり白飛びするものの、遠景２０１に相当する測光エリアＥ７〜Ｅ９の寄与率は相対的に高くなるので、遠景２０１の露出が適正となるよう補正された露出値Ｅｖを算出することができる。
また、露出補正部３２は、望遠側Ｔでは、被写体輝度値Ｂｖを算出する際の高輝度エリアの寄与率が高いため、月１００ｂの露出が適正となるよう補正された露出値Ｅｖを算出することができる。
【００３２】
以下、図７のフローチャートを参照しながら、第２の実施の形態による電子カメラ１の動作を説明する。撮影者が撮影動作の開始に当って月撮影モードを選択し、ＩＳＯ感度値Ｓｖを設定する。撮影者が月の方向に電子カメラ１の撮影レンズを向けると、ステップ２１で、撮像素子２２が測光範囲１０２内の明るさを測光し、輝度演算部３１が分割されたそれぞれの測光エリアの部分輝度値を算出する。撮影者がズーミングレンズ１２を移動させて構図を決めると、ステップ２２で、ズーミングレンズ駆動部１２ａからズーム位置信号が演算制御部３０へ出力される。ここまでは図４のフローチャートの動作とほぼ同じである。
【００３３】
ステップ２３で、輝度演算部３１は、ズーミングレンズ１２移動後の測光エリアの部分輝度値を算出する。ステップ２４で、演算制御部３０は、部分輝度値が所定値以上の高輝度の測光エリアを抽出する。
ステップ２５で、露出補正部３２は、高輝度の各測光エリアの部分輝度値に対してそれぞれズーム位置Ｚに応じた重み付け係数Ｋを乗算する。すなわち、広角側Ｗでは、重み付け係数Ｋ１を乗算し、望遠側Ｔでは、重み付け係数Ｋ２（Ｋ２＞Ｋ１）を乗算する。そして、露出補正部３２は、高輝度の各測光エリアの重み付け係数Ｋが乗算された部分輝度値に基づいて測光範囲全体の被写体輝度値Ｂｖを算出し、その算出結果に基づいて補正された露出値Ｅｖを算出する。露出補正部３２は、広角側Ｗと望遠側Ｔの中間のズーム位置においても、同様に補正された露出値Ｅｖを算出する。
【００３４】
ステップ２６で、撮影制御部３３は、露出補正部３２が算出した補正された露出値Ｅｖを用いて、シャッター２１のシャッター秒時、絞り１４の絞り値を設定する。ステップ２７で、撮影者はこの撮影条件で撮影を行い、画像記憶部２３に被写体像データを記憶させ、一連の動作が終了する。
【００３５】
第２の実施の形態の電子カメラ１もズーム位置が望遠側の場合は第１の実施の形態の電子カメラ１と同様の作用効果を奏する。
第２の実施の形態では、ズーミングレンズのズーム位置が広角側の場合、高輝度被写体の月１００ａは主要被写体ではないので重み付け係数ＫをＫ１と非常に小さくするので、遠景２０１を主要被写体として撮影する場合に有効である。
【００３６】
−第３の実施の形態−
第３の実施の形態による電子カメラは、第１の実施の形態による電子カメラ１に、更に１つの構成と機能を付加したものである。
図８は、第３の実施の形態に係る電子カメラの構成を模式的に示す図である。図８に示す電子カメラ１Ａは、図１に示した電子カメラ１の構成に、情報記憶部２４を追加しただけであり、その他の構成は電子カメラ１と同じである。
【００３７】
情報記憶部２４は、月齢に関する情報を記憶する。月齢とは、新月から次の新月までの約２９．５日を日数単位で表した数値であり、月相（満月、半月、三日月などの月の満ち欠け）とほぼ連動している。従って、現在の年月日が分かれば、現在の月齢が分かり、月相が分かる。月齢情報は、撮影者の指示により情報記憶部２４から読み出される。第１及び第２の実施の形態では被写体輝度値Ｂｖをズーム位置情報で補正したが、第３の実施の形態では、被写体輝度値Ｂｖをズーム位置情報と月齢情報とを用いて補正する。
【００３８】
以下、図９を参照しながら、主要被写体である月を、広角側で撮影する場合の露出値の算出と、望遠側で撮影する場合の露出値の算出について説明する。
図９は、月齢情報から露出補正に必要なオフセット量を求めた表である。被写体輝度値Ｂｖの補正にはズーム位置情報と月齢情報との２つの変数があるが、図９の表はズーム位置を所定の値に固定し、月齢情報のみを変数としたものである。
【００３９】
図９において、月齢が２日（三日月）のときのオフセット量をＤ３、月齢が７．５日（半月）のときのオフセット量をＤ４、月齢が１４日（満月）のときのオフセット量をＤ５とすると、オフセット量の大小関係はＤ３＞Ｄ４＞Ｄ５となる。すなわち、露出補正部３２は、同じズーム位置では、測光範囲に占める高輝度部分の割合が小さい三日月の場合は、大きいオフセット量Ｄ３を算出し、測光範囲に占める高輝度部分の割合が大きい満月の場合は、小さいオフセット量Ｄ５を算出し、半月の場合は、これらの中間のオフセット量Ｄ４を算出する。そして、露出補正部３２は、それぞれの被写体輝度値Ｂｖにオフセット量Ｄ３、Ｄ４、Ｄ５をそれぞれ加算し、この加算結果に基づいて補正された露出値Ｅｖをそれぞれ演算する。勿論、ズーム位置を変えた場合でも上述の動作が行われる。
【００４０】
第３の実施の形態の電子カメラ１Ａによっても第１の実施の形態の電子カメラ１の場合と同様の下記の作用効果を奏する。
（１）露出補正部３２は、輝度演算部３１が算出した被写体輝度値Ｂｖにズーム位置情報と情報記憶部２４から読み出した月齢情報とから得られるオフセット量Ｄを加算し、この加算結果に基づいて補正された露出値Ｅｖを算出するので、ズーミングレンズの移動により焦点距離や構図が変化した場合でも、適正な露出で月を撮影することができる。
（２）ズーミングレンズの広角側で月齢の若い三日月を撮影する場合は、露出補正部３２は、被写体輝度値Ｂｖを大きく補正するので、特に、広角側での三日月の撮影では効果が大きい。
【００４１】
以下、第１〜第３の実施の形態の変形例について説明する。
（１）第１、第２の実施の形態では、露出補正部３２の動作として、輝度演算部３１が算出した被写体輝度値Ｂｖをズーム位置（第３の実施の形態ではズーム位置及び月齢情報）に基づいて補正し、補正された被写体輝度値Ｂｖに基づいて補正された露出値Ｅｖを算出する手順を説明したが、輝度演算部３１が算出した露出補正前の被写体輝度値Ｂｖから露出値を算出し、この露出値をズーム位置（第３の実施の形態ではズーム位置及び月齢情報）に基づいて補正し、補正された露出値Ｅｖを算出する手順でもよい。
【００４２】
（２）上記の実施の形態では、測光方式が多分割測光（マルチパターン測光）の場合を説明したが、中央部重点測光の場合でも本発明が適用できる。
（３）上記の実施の形態の電子カメラ１、１Ａは、ズーミングレンズ１２を備えているが、更に電子ズームの機能を備えていてもよい。
（４）上記の実施の形態では、電子カメラ１、１Ａについて説明したが、本発明は、電子カメラに限らず、撮影機能を有する携帯電話機にも適用できる。
本発明は、その特徴を損なわない限り、以上説明した実施の形態に何ら限定されるものではない。
【符号の説明】
【００４３】
１、１Ａ：電子カメラ                １２：ズーミングレンズ
１４：絞り                      ２１：シャッター
２２：撮像素子                  ２３：画像記憶部
２４：情報記憶部                ３０：演算制御部
３１：輝度演算部                ３２：露出補正部
３３：撮影制御部            １００ａ：月（広角側で撮影）
１００ｂ：月（望遠側で撮影）      １０１：撮影範囲（画角）
１０２：測光範囲                ２００：夜空
２０１：遠景
【図１】
2015122602.tif 000003
【図２】
2015122602.tif 000004
【図３】
2015122602.tif 000005
【図４】
2015122602.tif 000006
【図５】
2015122602.tif 000007
【図６】
2015122602.tif 000008
【図７】
2015122602.tif 000009
【図８】
2015122602.tif 000010
【図９】
2015122602.tif 000011